(57)【要約】      （修正有）【課題】制御部等と搬送用古紙容器本体とを分離可能とした屋外用古紙回収装置を提供する。【解決手段】屋外用古紙回収装置Ｃは、屋外に設置され、内部に古紙を収納する古紙収納部、側面に古紙投入口部２を有した搬送用古紙容器本体１と、古紙投入口部２を開閉するシャッター３を有する。搬送用古紙容器本体１内に設けられ、シャッター３を昇降させる電動モーターと、電動モーターに駆動電力を供給する本体内側電力線と、電動モーターを制御する制御信号を伝達する本体内側制御信号線と、搬送用古紙容器本体１の外に設けられた電源と、電動モーターを制御する制御部と、制御部からの制御信号を伝達する本体外側制御信号線と、電源４からの電力を供給する本体外側電力線とを備え、本体外側電力線を本体内側電力線に、本体外側制御信号線を本体内側制御信号線に、コネクターを介して着脱自在に接続するものである。【選択図】図１
2012206845.tif 000002
【特許請求の範囲】
【請求項１】
屋外に設置され、内部に古紙を収納する古紙収納部、側面に前記古紙の投入口である古紙投入口部を有した搬送用古紙容器本体と、
前記古紙投入口部を開閉するシャッターと、
前記搬送用古紙容器本体内に設けられ、前記シャッターを昇降させる電動モーターと、
前記搬送用古紙容器本体内に設けられ、前記電動モーターに駆動電力を供給する本体内側電力線と、
前記搬送用古紙容器本体内に設けられ、前記電動モーターを制御する制御信号を伝達する本体内側制御信号線と、
前記搬送用古紙容器本体の外に設けられた電源と、
前記搬送用古紙容器本体の外に設けられ、前記電動モーターを制御する制御部と、
前記搬送用古紙容器本体の外に設けられ、前記制御部からの制御信号を伝達する本体外側制御信号線と、
前記電源からの電力を供給する本体外側電力線とを備え、
前記本体外側電力線を前記本体内側電力線に、前記本体外側制御信号線を前記本体内側制御信号線に、コネクターを介して着脱自在に接続する
ことを特徴とする屋外用古紙回収装置。
【請求項２】
屋外に設置され、内部に古紙を収納する古紙収納部、側面に前記古紙の投入口である第１の古紙投入口部を有した第１の搬送用古紙容器本体と、
屋外に設置され、内部に古紙を収納する古紙収納部、側面に前記古紙の投入口である第２の古紙投入口部を有した第２の搬送用古紙容器本体と、
前記第１の搬送用古紙容器本体内の古紙投入口部を開閉する第１のシャッターと、
前記第２の搬送用古紙容器本体内の古紙投入口部を開閉する第２のシャッターと、
前記第１の搬送用古紙容器本体内に設けられ、前記第１のシャッターを昇降させる第１の電動モーターと、
前記第２の搬送用古紙容器本体内に設けられ、前記第２のシャッターを昇降させる第２の電動モーターと、
前記第１の搬送用古紙容器本体内に設けられ、前記第１の電動モーターに駆動電力を供給する第１の本体内側電力線と、
前記第２の搬送用古紙容器本体内に設けられ、前記第２の電動モーターに駆動電力を供給する第２の本体内側電力線と、
前記第１の搬送用古紙容器本体内に設けられ、前記第１の電動モーターを制御する制御信号を伝達する第１の本体内側制御信号線と、
前記第２の搬送用古紙容器本体内に設けられ、前記第２の電動モーターを制御する制御信号を伝達する第２の本体内側制御信号線と、
前記第１の搬送用古紙容器本体の外に設けられた第１の電源と、
前記第２の搬送用古紙容器本体の外に設けられた第２の電源と、
前記第１の搬送用古紙容器本体の外に設けられ、前記第１の電動モーターを制御する第１の制御部と、
前記第２の搬送用古紙容器本体の外に設けられ、前記第２の電動モーターを制御する第２の制御部と、
前記第１の搬送用古紙容器本体の外に設けられ、前記第１の制御部からの制御信号を伝達する第１の本体外側制御信号線と、
前記第２の搬送用古紙容器本体の外に設けられ、前記第２の制御部からの制御信号を伝達する第２の本体外側制御信号線と、
前記第１の電源からの電力を供給する第１の本体外側電力線と、
前記第２の電源からの電力を供給する第２の本体外側電力線とを備え、
前記第１の本体外側電力線を前記第１の本体内側電力線に、前記第１の本体外側制御信号線を前記第１の本体内側制御信号線に、第１のコネクターを介して着脱自在に接続すると共に、前記第２の本体外側電力線を前記第２の本体内側電力線に、前記第２の本体外側制御信号線を前記第２の本体内側制御信号線に、第２のコネクターを介して着脱自在に接続する
ことを特徴とする屋外用古紙回収装置。
【請求項３】
第１の電源と第２の電源を単一の電源とし、
この単一の電源は、ソーラパネルで発生した電力を蓄電するバッテリーであり、
このバッテリー、第１の制御部及び第２の制御部を屋外に設置されたケーシング内に収納する
ことを特徴とする請求項２記載の屋外用古紙回収装置。
【請求項４】
制御部はタイマーを含み、
このタイマーにより、設定された時間に電動モーターを動作させ、シャッターを上昇させて古紙投入口部を開とし、この古紙投入口部の開状態を所定時間保持し、該所定時間経過後、前記電動モーターを動作させ、前記シャッターを下降させて前記古紙投入口部を閉とする
ことを特徴とする請求項１記載の屋外用古紙回収装置。
【請求項５】
搬送用古紙容器本体は、略直方体形状をなし、正面部、右側面部、背面部、左側面部、底面部、天井面部を有し、
前記正面部の上部にシャッターを巻き取る巻取部を収納する巻取部収納体を設け、
前記正面部であって、前記巻取部収納体の下方に略横長矩形形状の古紙投入口部を設けた
ことを特徴とする請求項１記載の屋外用古紙回収装置。
【請求項６】
正面部の高さは背面部の高さより高く、天井面部は前記背面部に向かって低くなるように傾斜している
ことを特徴とする請求項５記載の屋外用古紙回収装置。
【請求項７】
古紙投入口部は、下縁部、右縁部、上縁部、左縁部からなる略横長矩形形状ものであり、シャッターの下端の略全幅に亘ってクッション部材が取り付けられ、このクッション部材は、前記シャッターの素材より柔らかい素材で形成されている
ことを特徴とする請求項１記載の屋外用古紙回収装置。
【発明の詳細な説明】
【技術分野】
【０００１】
本発明は、屋外用古紙回収装置に係り、特に、搬送用古紙容器本体と制御部等を分離可能とした屋外用古紙回収装置に関する。
【背景技術】
【０００２】
本件出願人は、先に、バッテリー等の電源、制御部を搭載した屋外用古紙回収装置を提案した（例えば、特許文献１参照）。
【先行技術文献】
【特許文献】
【０００３】
【特許文献１】特願２０１０−２６４４５６  図５参照
【発明の概要】
【発明が解決しようとする課題】
【０００４】
しかしながら、バッテリー等の電源、制御部は屋外用古紙回収装置に内蔵され、一体化されているため、電源、制御部を屋外用古紙回収装置毎に設けねばならず、しかも、搬送用古紙容器本体内に電源及び制御部を収納するスペースも必要で、その分、古紙収納部のスペースを狭くし、更に、古紙を収納した屋外用古紙回収装置を搬送する際、搬送に伴う振動等により電源及び制御部等が損傷するという問題点が生じた。
【０００５】
本発明は、上記の問題点の改善を図った屋外用古紙回収装置を提供することを目的と
する。
【課題を解決するための手段】
【０００６】
請求項１記載の屋外用古紙回収装置は、屋外に設置され、内部に古紙を収納する古紙収納部、側面に前記古紙の投入口である古紙投入口部を有した搬送用古紙容器本体と、前記古紙投入口部を開閉するシャッターと、前記搬送用古紙容器本体内に設けられ、前記シャッターを昇降させる電動モーターと、前記搬送用古紙容器本体内に設けられ、前記電動モーターに駆動電力を供給する本体内側電力線と、前記搬送用古紙容器本体内に設けられ、前記電動モーターを制御する制御信号を伝達する本体内側制御信号線と、前記搬送用古紙容器本体の外に設けられた電源と、前記搬送用古紙容器本体の外に設けられ、前記電動モーターを制御する制御部と、前記搬送用古紙容器本体の外に設けられ、前記制御部からの制御信号を伝達する本体外側制御信号線と、前記電源からの電力を供給する本体外側電力線とを備え、前記本体外側電力線を前記本体内側電力線に、前記本体外側制御信号線を前記本体内側制御信号線に、コネクターを介して着脱自在に接続するものである。
【０００７】
また、請求項２記載の屋外用古紙回収装置は、屋外に設置され、内部に古紙を収納する古紙収納部、側面に前記古紙の投入口である第１の古紙投入口部を有した第１の搬送用古紙容器本体と、屋外に設置され、内部に古紙を収納する古紙収納部、側面に前記古紙の投入口である第２の古紙投入口部を有した第２の搬送用古紙容器本体と、前記第１の搬送用古紙容器本体内の古紙投入口部を開閉する第１のシャッターと、前記第２の搬送用古紙容器本体内の古紙投入口部を開閉する第２のシャッターと、前記第１の搬送用古紙容器本体内に設けられ、前記第１のシャッターを昇降させる第１の電動モーターと、前記第２の搬送用古紙容器本体内に設けられ、前記第２のシャッターを昇降させる第２の電動モーターと、前記第１の搬送用古紙容器本体内に設けられ、前記第１の電動モーターに駆動電力を供給する第１の本体内側電力線と、前記第２の搬送用古紙容器本体内に設けられ、前記第２の電動モーターに駆動電力を供給する第２の本体内側電力線と、前記第１の搬送用古紙容器本体内に設けられ、前記第１の電動モーターを制御する制御信号を伝達する第１の本体内側制御信号線と、前記第２の搬送用古紙容器本体内に設けられ、前記第２の電動モーターを制御する制御信号を伝達する第２の本体内側制御信号線と、前記第１の搬送用古紙容器本体の外に設けられた第１の電源と、前記第２の搬送用古紙容器本体の外に設けられた第２の電源と、前記第１の搬送用古紙容器本体の外に設けられ、前記第１の電動モーターを制御する第１の制御部と、前記第２の搬送用古紙容器本体の外に設けられ、前記第２の電動モーターを制御する第２の制御部と、前記第１の搬送用古紙容器本体の外に設けられ、前記第１の制御部からの制御信号を伝達する第１の本体外側制御信号線と、前記第２の搬送用古紙容器本体の外に設けられ、前記第２の制御部からの制御信号を伝達する第２の本体外側制御信号線と、前記第１の電源からの電力を供給する第１の本体外側電力線と、前記第２の電源からの電力を供給する第２の本体外側電力線とを備え、前記第１の本体外側電力線を前記第１の本体内側電力線に、前記第１の本体外側制御信号線を前記第１の本体内側制御信号線に、第１のコネクターを介して着脱自在に接続すると共に、前記第２の本体外側電力線を前記第２の本体内側電力線に、前記第２の本体外側制御信号線を前記第２の本体内側制御信号線に、第２のコネクターを介して着脱自在に接続するものである。
【０００８】
また、請求項３記載の屋外用古紙回収装置は、請求項２記載の屋外用古紙回収装置に
おいて、第１の電源と第２の電源を単一の電源とし、この単一の電源は、ソーラパネルで発生した電力を蓄電するバッテリーであり、このバッテリー、第１の制御部及び第２の制御部を屋外に設置されたケーシング内に収納するものである。
【０００９】
また、請求項４記載の屋外用古紙回収装置は、請求項１記載の屋外用古紙回収装置に
おいて、制御部はタイマーを含み、このタイマーにより、設定された時間に電動モーターを動作させ、シャッターを上昇させて古紙投入口部を開とし、この古紙投入口部の開状態を所定時間保持し、該所定時間経過後、前記電動モーターを動作させ、前記シャッターを下降させて前記古紙投入口部を閉とするものである。
【００１０】
また、請求項５記載の屋外用古紙回収装置は、請求項１記載の屋外用古紙回収装置に
おいて、 搬送用古紙容器本体は、略直方体形状をなし、正面部、右側面部、背面部、左側面部、底面部、天井面部を有し、前記正面部の上部にシャッターを巻き取る巻取部を収納する巻取部収納体を設け、前記正面部であって、前記巻取部収納体の下方に略横長矩形形状の古紙投入口部を設けたものでである。
【００１１】
また、請求項６記載の屋外用古紙回収装置は、請求項５記載の屋外用古紙回収装置に
おいて、正面部の高さは背面部の高さより高く、天井面部は前記背面部に向かって低くなるように傾斜しているものである。
【００１２】
また、請求項７記載の屋外用古紙回収装置は、請求項１記載の屋外用古紙回収装置に
おいて、古紙投入口部は、下縁部、右縁部、上縁部、左縁部からなる略横長矩形形状ものであり、シャッターの下端の略全幅に亘ってクッション部材が取り付けられ、このクッション部材は、前記シャッターの素材より柔らかい素材で形成されているものである。
【発明の効果】
【００１３】
請求項１記載の屋外用古紙回収装置によれば、電動モーターを制御する制御部及び電源を搬送用古紙容器本体の外側に分離して設け、古紙投入口部を開閉するシャッターを動作させる際には、本体外側電力線を本体内側電力線に、本体外側制御信号線を本体内側制御信号線に、コネクターを介して接続して、シャッターを上昇させて古紙投入口部を開き、
搬送用古紙容器本体内の古紙が所定量に達すると、シャッターを下降させて古紙投入口部を閉じ、本体外側電力線と本体内側電力線、本体外側制御信号線と本体内側制御信号線、をそれぞれ分離することができ、古紙を所定量収納した搬送用古紙容器本体を輸送用車両により他の場所へ移動できるため、搬送用古紙容器本体毎に制御部及びバッテリー等の電源を設ける必要がなく、しかも、搬送用古紙容器本体内に制御部及びバッテリー等の電源を収納するスペースも不要となり、その分、古紙を収納する古紙収納部を広くとることができ、更に、制御部及びバッテリー等の電源は次の搬送用古紙容器本体に使用して共用化でき、加えて、搬送用古紙容器本体には、制御部及びバッテリー等の電源がないため、搬送に伴う振動等により制御部及びバッテリー等の電源の損傷をも防ぐことができる。
【００１４】
また、請求項２記載の屋外用古紙回収装置によれば、第１、第２の電動モーターを制御する第１、第２の制御部及び第１、第２の電源を第１、第２の搬送用古紙容器本体の外側に分離して設け、第１、第２の古紙投入口部を開閉する第１、第２のシャッターを動作させる際には、第１、第２の本体外側電力線を第１、第２の本体内側電力線に、第１、第２の本体外側制御信号線を第１、第２の本体内側制御信号線に、それぞれ接続して、第１、第２のシャッターを上昇させて第１、第２の古紙投入口部を開き、
第１、第２の搬送用古紙容器本体内の古紙が所定量に達すると、第１、第２のシャッターを下降させて第１、第２の古紙投入口部を閉じ、第１、第２の本体外側電力線と第１、第２の本体内側電力線、第１、第２の本体外側制御信号線と第１、第２の本体内側制御信号線、をそれぞれ分離することができ、古紙を所定量収納した第１、第２の搬送用古紙容器本体を輸送用車両により他の場所へ移動できるため、第１、第２の搬送用古紙容器本体毎に第１、第２の制御部及び第１、第２のバッテリー等の電源を設ける必要がなく、しかも、第１、第２の搬送用古紙容器本体内に第１、第２の制御部及び第１、第２のバッテリー等の電源を収納するスペースも不要となり、その分、古紙を収納する古紙収納部を広くとることができ、更に、第１、第２の制御部及び第１、第２のバッテリー等の電源は次の第１、第２の搬送用古紙容器本体に使用して共用化でき、加えて、第１、第２の搬送用古紙容器本体には、第１、第２の制御部及び第１、第２のバッテリー等の電源がないため、搬送に伴う振動等により第１、第２の制御部及び第１、第２のバッテリー等の電源の損傷をも防ぐことができる。
【００１５】
また、請求項３記載の屋外用古紙回収装置によれば、請求項２記載の発明の効果に加え、第１の電源と第２の電源を単一の電源としたバッテリーとし、該バッテリー、第１の制御部及び第２の制御部を屋外に設置されたケーシング内に収納するため、つまり、ケーシングを単一としたため、ケーシングの設置スペースを大きくとらないで、屋外用古紙回収装置を屋外に設置することができ、また、第１の制御部及び第２の制御部等の点検も、単一のケーシング内で済むため、点検の作業性が改善され、加えて、ソーラーパネルを利用した独立電源により構成されるため、商用電源を必要とせず屋外用古紙回収装置を屋外に簡易且つ迅速に設置することができる。
【００１６】
また、請求項４記載の屋外用古紙回収装置によれば、上述した請求項１記載の発明の効果に加え、古紙投入口部のシャッターを自動的に開閉するため、設置された屋外用古紙回収装置の管理負担の軽減化を図ることができ、特に、夜間、電動モーターを動作させ、シャッターを下降させて古紙投入口部を閉じるため、古紙投入口部からの火の投入を防いで防火対策をも講じることができる。
【００１７】
また、請求項５記載の屋外用古紙回収装置によれば、上述した請求項１記載の発明の
効果に加え、搬送用古紙容器本体は、略直方体形状をなし、正面部、右側面部、背面部、左側面部、底面部、天井面部を有し、前記正面部の上部にシャッターを巻き取る巻取部を収納する巻取部収納体を設け、特に、略横長矩形形状の古紙投入口部を前記正面部であって、前記巻取部収納体の下方に設けたため、古紙投入口部が天井面に設けられているものに比較し、搬送用古紙容器本体内への雨の侵入を防ぐと共に、古紙収納部内の古紙が風により搬送用古紙容器本体外へ飛散されることをも防止することができる。
【００１８】
また、請求項６記載の屋外用古紙回収装置によれば、上述した請求項５記載の発明の
効果に加え、正面部の高さは背面部の高さより高く、天井面部は前記背面部に向かって低くなるように傾斜しているため、天井面部への雨水は、背面部側に向かって流れ、しかも、巻取部収納体が雨風を遮るため、古紙投入口部へ投入する投入者へ雨風があたるのを防ぐことができる。
【００１９】
また、請求項７記載の屋外用古紙回収装置によれば、上述した請求項１記載の発明の
効果に加え、古紙投入口の下縁部と下降するシャッターの下端とで体の部位、例えば、指が挟まれても、クッション部材が柔らかい素材で形成されているため、衝撃が緩和されると共に、クッション部材に挟まれても、挟まれた部位を容易に離脱することができ、更に、シャッターを降下させて古紙投入口部を閉じた際、古紙投入口の下縁部とシャッターの下端とは、クッション部材を介して密着するため、シール性が良く、搬送用古紙容器本体内への水の侵入をも防ぐことができる。
【図面の簡単な説明】
【００２０】
【図１】図１は、本発明の一実施例の屋外用古紙回収装置の概略的斜視図である。
【図２】図２は、図１の屋外用古紙回収装置の一部の概略的正面図である。
【図３】図３は、図１の屋外用古紙回収装置のケーシングの概略的図である。
【図４】図４は、図２の４−４線による概略的断面図である。
【図５】図５は、図３の５−５線による概略的断面図である。
【図６】図６は、図１の搬送用古紙容器本体の概略的分解斜視図である。
【図７】図７は、図１の搬送用古紙容器本体の蓋が開いた状態の概略的正面図である。
【図８】図８は、図１の搬送用古紙容器本体の概略的一部側断面図である。
【図９】図９（ａ）は、図１の搬送用古紙容器本体のシャッターが降下している状態の概略的断面図であり、図９（ｂ）は、図９（ａ）のシャッターが更に降下し、シャッターに指が挟まれた状態の概略的断面図であり、図９（ｃ）は、図９（ｂ）のシャッターに挟まれた指を引き抜いた状態の概略的断面図である。
【図１０】図１０は、図１の搬送用古紙容器本体の蓋を閉じた状態の概略的斜視図である
【図１１】図１１は、図１の搬送用古紙容器本体が車両に運び込まれる状態の概略的図である。
【図１２】図１２は、図１の屋外用古紙回収装置と異なる他の実施例の屋外用古紙回収装置の概略的正面図である。
【図１３】図１３は、図１２の屋外用古紙回収装置のケーシングの概略的図である。
【図１４】図１４は、図１２の１４−１４線による概略的断面図である。
【図１５】図１５は、図１３の１５−１５線による概略的断面図である。
【図１６】図１６は、図１２の１６−１６線による概略的断面図である。
【図１７】図１７は、図１３の１７−１７線による概略的断面図である。
【発明を実施するための形態】
【００２１】
本発明の一実施例の屋外用古紙回収装置を図面を参照して説明する。
図１に示すＣは屋外用古紙回収装置で、屋外用古紙回収装置Ｃは、スーパーの駐車場等の屋外に移動可能に設置されるもので、内部に新聞、雑誌、段ボール等の古紙を収納する古紙収納部１ａ（図６参照）を有した搬送用古紙容器本体１と、電源（例えば、バッテリー４）、制御部ＣＰ等を収納したケーシング１０’とを有している。
搬送用古紙容器本体１は、側面（例えば、正面）に古紙の投入口である略横長矩形形状の古紙投入口部２と、この古紙投入口部２を開閉するシャッター３とを備えている。
屋外用古紙回収装置Ｃで回収される古紙は、例えば、段ボール１２’、新聞紙１３’
、雑誌１４’で、これに対応するために、古紙収納部１１内は、段ボール１２’、新聞紙
１３’、雑誌１４’毎に、収納できるように、図示しない仕切り板で着脱自在に古紙収納
部１１内を仕切るようにしている。
【００２２】
搬送用古紙容器本体１は、例えば、略直方体形状をなし、正面部１１、右側面部１２、左側面部１３、底面部１４、背面部１５、天井面部１６とからなっている（図１及び図６参照）。
底面部１４には、脚部１４ａ、１４ａ、ローラ１４ｂ、１４ｂ（ローラ１４ｂ、１４
ｂの内、一方のローラ１４ｂは、図６においては、図示されていない。）。
なお、搬送用古紙容器本体１は、例えば、略直方体形状をなし、更に、具体的に言えば、図６に示すように、市販のコンテナの一部を切り欠いた第１部材Ａと、この第１部材Ａを覆う第２部材Ｂを突き合わせ、該突き合わせ部を溶接等により接合して形成される。
また、３２はシャッター３を巻き取る巻取部を収納する巻取部収納体で、巻取部収納体３２は、正面部１１の上部に設けられている。
【００２３】
古紙投入口部２は、図１に示すように、略横長矩形形状で、下縁部２１、右縁部２２
、上縁部２３、左縁部２４からなり、下縁部２１の上面を覆う覆い部材４’（図９参照）
は、下縁部２１の素材より柔らかい素材で形成されている。図９に示す５’は、シャッタ
ー３の下端の略全幅に亘って取り付けられたクッション部材で、このクッション部材５’
は、シャッター３の素材より柔らかい素材で形成されている。
古紙投入口２の下縁部２１とシャッター３の下端とで体の部位、例えば、指が挟まれ
ても、図９に示すように、覆い部材４’及びクッション部材５’が、共に柔らかい素材で
形成されているため、衝撃が緩和されると共に、覆い部材４’とクッション部材５’に挟
まれても、挟まれた部位を容易に離脱することができる[図９（ａ）（ｂ）（ｃ）参照]。
また、覆い部材４’の厚みｔとクッション部材５’の厚みＴとは、ｔ＜Ｔの関係にあ
る[図９（ａ）参照]。
従って、古紙投入口２の下縁部と降下するシャッター３の下端とで体の部位、例えば、指が挟まれても、クッション部材５’がシャッター３の素材より柔らかい素材で形成されているため、衝撃が緩和されると共に、クッション部材５’に挟まれても、挟まれた部位を容易に離脱することができ、更に、シャッター３を降下させて古紙投入口部２を閉じた際、古紙投入口２の下縁部とシャッター３の下端とは、クッション部材５’を介して密着するため、シール性が良く、搬送用古紙容器本体１内への水の侵入をも防ぐことができる。
【００２４】
また、図３に示すように、搬送用古紙容器本体１の外の屋外に設置されたケーシング１０’内には、上述したように、バッテリー４、インバーターＩＮ、制御部ＣＰ等が収納されている。なお、シャッター３を昇降させる電動モーターＭ（図７参照）は、制御部ＣＰにより制御されるようになっている。
また、図４に示すＬ１は電動モーターＭ（図７参照）に駆動電力を供給する本体内側電力線で、本体内側電力線Ｌ１は搬送用古紙容器本体１内に設けられている。
また、図４に示すＬ２は電動モーターＭを制御する制御信号を伝達する本体内側制御信号線で、本体内側電力線Ｌ２は搬送用古紙容器本体１内に設けられている。
これら本体内側電力線Ｌ１、本体内側電力線Ｌ２はキャプタイヤケーブルＬ内に設けられている（図４参照）。
また、図５に示すｌ１は、電源からの電力を供給する本体外側電力線で、本体外側電力線ｌ１は、搬送用古紙容器本体１の外に設けられている。
また、ｌ２は制御部ＣＰからの制御信号を伝達する本体外側制御信号線で、本体外側制御信号線ｌ２は搬送用古紙容器本体１の外に設けられている。
これら本体外側電力線ｌ１、本体外側制御信号線ｌ２はキャプタイヤケーブルｌ内に設けられている（図５参照）。
そして、本体外側電力線ｌ１を本体内側電力線Ｌ１に、本体外側制御信号線ｌ２を本体内側制御信号線Ｌ２に、コネクターＣＮを介して着脱自在に接続するようにしてある。
【００２５】
なお、シャッター３は、搬送用古紙容器本体１内に設けられた電動モーターＭ(図７参照)により昇降するもので、電動モーターＭの駆動源は、バッテリー４（図３参照）である。このバッテリー４への充電は、商用電源を使って行うことができるが、バッテリー４への充電は、より望ましくは、図１に示すソーラーパネル５を使用するのが良い。
ソーラーパネル５からの直流は、図３に示すように、インバーターＩＮにより交流に変換して制御部ＣＰに供給するようにしている。
シャッター３の開閉は、電動モーターＭにより昇降し、電動モーターＭのオン、オフは、通常、タイマー６（図３に示すタイマー６は、電動モーターＭの動作時間を制御するものである。）により、例えば、朝、シャッター３を開け、夜間、防犯、防火のために、シャッター３を閉じるように、自動開閉するようにコントロールするようにして、設置された機器の管理の負担の軽減化を図っている。
また、シャッター３の開閉動作はタイマー６（図３参照）によるが、手動にてシャッター３を操作する場合は、強制開閉補助スイッチ７を押しながら、開スイッチ８、停止スイッチ９（強制開閉補助スイッチ７及び停止スイッチ９の両方を押すことにより、電動モーターの動作を停止するスイッチの機能を発揮する。）、閉スイッチ１０の内のいずれかのスイッチを押すことにより行うことができる。
例えば、シャッター３が閉じている場合、強制開閉補助スイッチ７と開スイッチ８を
押せば、シャッター３が開くように動作し、
シャッター３が動作している場合、強制開閉補助スイッチ７の手を離すと途中停止し、
シャッター３が開こうとしている場合、強制開閉補助スイッチ７と閉スイッチ１０を
押せば、シャッター３が閉じるように動作することとなる。
また、シャッター３は、降下中に障害物に当たると、図示しない制御手段により、上
昇し、その後、下降し、シャッター３の下降中、再度、障害物に当たると、上昇し、その
後、停止するようになっている。
なお、シャッター３の昇降中、注意を喚起するために、「シャッターが開閉します。
ご注意下さい。」と音声発生部Ｖより音声を発すると共に、ランプ２００（図１参照）を点灯回転させるようにしている。
【００２６】
また、図８に示す天井面部１６には、天井面部１６の正面部１１に近い側にシャッタ
ー３を巻き取る巻取部３１を収納する巻取部収納体３２が設けられている。
特に、略横長矩形形状の古紙投入口部２が正面部１１であって、巻取部収納体３２の下方に設けたため、古紙投入口部が天井面に設けられているものに比較し、搬送用古紙容器本体１内への雨の侵入を防ぐと共に、古紙収納部２内の古紙が風により搬送用古紙容器本体１外へ飛散されることをも防止することができる。
また、正面部１１の高さＨは、背面部１５の高さｈより高く、天井面部１６は天井面部１６の正面部１２に近い側から天井面部１６の正面部１２に遠い側に向かって下がるように傾斜（下り勾配）している。
つまり、正面部１１の高さは背面部１５の高さより高く、天井面部１６は背面部１５に向かって低くなるように傾斜している。そのため、天井面部１６への雨水は、背面部１５側に向かって流れ、しかも、巻取部収納体３２が雨風を遮るため、古紙投入口部２へ投入する投入者へ雨風があたるのを防ぐことができるようになっている。
【００２７】
また、図８に示すＲ１は、垂直方向に設けられた第１の垂直リブで、Ｒ２は、垂直方向に設けられた第２の垂直リブで、第１の垂直リブＲ１と第２の垂直リブＲ２は、略平行となって、右側面部１２にそれぞれ設けられている。
また、Ｈ’は、被係止部で、車両１００（図１１参照）のリフトアーム１０１の先端に設けたフックＦを被係止部Ｈ’に係止させるようになっている。
また、図１０に示す左側面部１３は、回収した古紙（段ボール１２’、新聞紙１３’、雑誌１４’）を本体１から排出する開閉扉となっている。
【００２８】
従って、上述した屋外用古紙回収装置Ｃをスーパーの駐車場等の屋外に設置した場合
（図１参照）、朝、タイマー６にセットされた時間が経過すると、シャッター３が自動的
に上昇し、古紙投入口部２が開状態となる。投入者は、古紙（段ボール１２’、新聞紙１３’、雑誌１４’）を古紙投入口部２へ、図示しない仕切板で仕切られた場所に従って投入していく。
その際、本体１は正面の略横長矩形形状の古紙投入口部２を除いた周囲の部位は、覆
われているため、本体１内への雨の侵入を防ぐと共に、古紙収納部１ａ内の古紙が風によ
り本体１外へ飛散されることを防止することができる。
夜、タイマー６にセットされた時間が経過すると、シャッター３が自動的に下降し、
古紙投入口部２が閉状態となる。
つまり、図３に示す制御部ＣＰは、セットされたタイマー６により、設定された時間に電動モーターＭを動作させ、シャッター３を上昇させて古紙投入口部２を開とし、この古紙投入口部２の開状態を所定時間保持し、該所定時間経過後、電動モーターＭを動作させ、シャッター３を降下させて古紙投入口部２を閉とするように制御する。
このように、シャッター３を自動開閉して、夜間の防犯・防火対策を行うことができ
るため、スーパーの駐車場等の管理の軽減化を図ることができる。
なお、搬送用古紙容器本体１内が古紙で満杯になると、コネクターＣＮを介して、本体外側電力線ｌ１と本体内側電力線Ｌ１、本体外側制御信号線ｌ２と本体内側制御信号線Ｌ２、をそれぞれ切り離して、満杯になった搬送用古紙容器本体１を車両１００により搬送するようにしている。
その結果、搬送用古紙容器本体１毎に制御部ＣＰ及びバッテリー４等の電源を設ける必要がなく、しかも、搬送用古紙容器本体１内に制御部ＣＰ及びバッテリー４等の電源を収納するスペースも不要となり、その分、古紙を収納する古紙収納部２を広くとることができ、更に、制御部ＣＰ及びバッテリー４等の電源は次の搬送用古紙容器本体１に使用して共用化でき、加えて、搬送用古紙容器本体１には、制御部ＣＰ及びバッテリー４等の電源がないため、搬送に伴う振動等により制御部ＣＰ及びバッテリー４等の電源の損傷をも防ぐことができる。
【００２９】
また、スーパーの駐車場等の屋外に上述した搬送用古紙容器本体１を複数（例えば、２台、３台等）設置することができる（例えば、図１２乃至図１７参照）。なお、本実施例においては、上述した実施例と同一部分に同一符号を付して、説明の一部を省略する。
即ち、図１２に示す１は第１の搬送用古紙容器本体で、第１の搬送用古紙容器本体１は上述した搬送用古紙容器本体１と同様なもので、第１の搬送用古紙容器本体１は、屋外に設置され、内部に古紙を収納する古紙収納部（古紙収納部は、図示しないが、図６記載の古紙収納部１ａと同様のものである。）、側面に古紙の投入口である第１の古紙投入口部２を有している。
また、１”は第２の搬送用古紙容器本体で、第２の搬送用古紙容器本体１”は第１の搬送用古紙容器本体１と同様なもので、屋外に設置され、内部に古紙を収納する古紙収納部（古紙収納部は、図示しないが、図６記載の古紙収納部１ａと同様のものである。）、側面に前記古紙の投入口である第２の古紙投入口部（第２の古紙投入口部は、図示しないが、図１２記載の第１の古紙投入口部２と同様のものである。）を有している。
【００３０】
また、図１２に示す３は第１のシャッターで、第１のシャッター３は上述したシャッター３と同様なもので、第１のシャッター３は、第１の搬送用古紙容器本体１内の古紙投入口部２を開閉するものである。
また、第２の搬送用古紙容器本体１”内の古紙投入口部は、第２のシャッター（図示せず）で開閉されるようになっている。第２のシャッター（図示せず）は、第１のシャッター３と同様なものである。
なお、第１のシャッター３は、第１の搬送用古紙容器本体１内に設けられた第１の電動モーター（図示せず）により昇降するようになっている。第１の電動モーター（図示せず）は、図７記載の電動モーターＭと同様なものである。また、第２のシャッター（図示せず）は、第２の搬送用古紙容器本体２内に設けられた第２の電動モーター（図示せず）により昇降するようになっている。第２の搬送用古紙容器本体２内に設けられた第２の電動モーター（図示せず）により昇降するようになっている。第２の電動モーター（図示せず）は、図７記載の電動モーターＭと同様なものである。
【００３１】
図１４に示すＬ１は第１の電動モーター（図示せず）に駆動電力を供給する第１の本体内側電力線で、第１の本体内側電力線Ｌ１は、第１の搬送用古紙容器本体１内に設けられている。また、図１６に示すＬ１”は第２の電動モーター（図示せず）に駆動電力を供給する第２の本体内側電力線で、第２の本体内側電力線Ｌ１”は、第２の搬送用古紙容器本体１”内に設けられている。
図１４に示すＬ２は第１の電動モーター（図示せず）を制御する制御信号を伝達する第１の本体内側制御信号線で、第１の本体内側制御信号線Ｌ２は第１の搬送用古紙容器本体１内に設けられている。また、図１６に示すＬ２”は第２の電動モーター（図示せず）を制御する制御信号を伝達する第２の本体内側制御信号線で、第２の本体内側制御信号線Ｌ２”は第２の搬送用古紙容器本体１”内に設けられている。
なお、図１３に示す４”は、第１の搬送用古紙容器本体１の外に設けられた第１の電源と第２の搬送用古紙容器本体１の外に設けられた第２の電源を共用した電源である。この共用した電源（例えば、バッテリー）は、場合により第１の電源と第２の電源とに個別に設けるようにしても良い。
また、図１３に示すＣＰ”は、第１の電動モーター（図示せず）を制御する第１の制御部と第２の電動モーター（図示せず）を制御する第２の制御部とを備えた制御部である。    制御部４”は、第１の搬送用古紙容器本体１、第２の搬送用古紙容器本体２外に設けられたケーシング１０”内に収納されている。
第１の制御部は、上述した実施例と同様のタイマー６、強制開閉補助スイッチ７、開スイッチ８、停止スイッチ９、閉スイッチ１０を有する。
タイマー６は、上述した実施例と同様のもので、第１のシャッター３の開閉動作はタイマー６によるが、手動にて第１のシャッター３を操作する場合は、強制開閉補助スイッチ７を押しながら、開スイッチ８、停止スイッチ９（強制開閉補助スイッチ７及び停止スイッチ９の両方を押すことにより、電動モーターの動作を停止するスイッチの機能を発揮する。）、閉スイッチ１０の内のいずれかのスイッチを押すことにより行うことができる。
例えば、第１のシャッター３が閉じている場合、強制開閉補助スイッチ７と開スイッチ８を押せば、第１のシャッター３が開くように動作し、
第１のシャッター３が動作している場合、強制開閉補助スイッチ７の手を離すと途中停止し、
第１のシャッター３が開こうとしている場合、強制開閉補助スイッチ７と閉スイッチ１０を押せば、第１のシャッター３が閉じるように動作することとなる。
また、第２の制御部は、上述した実施例と同様のタイマー６”、強制開閉補助スイッチ７”、開スイッチ８”、停止スイッチ９”、閉スイッチ１０”を有する。
タイマー６”は、上述した実施例と同様のもので、第２のシャッター（図示せず）の開閉動作はタイマー６”によるが、手動にて第２のシャッター（図示せず）を操作する場合は、強制開閉補助スイッチ７”を押しながら、開スイッチ８”、停止スイッチ９”（強制開閉補助スイッチ７”及び停止スイッチ９”の両方を押すことにより、電動モーターの動作を停止するスイッチの機能を発揮する。）、閉スイッチ１０”の内のいずれかのスイッチを押すことにより行うことができる。
例えば、第２のシャッター（図示せず）が閉じている場合、強制開閉補助スイッチ７”と開スイッチ８”を押せば、第２のシャッター（図示せず）が開くように動作し、
第２のシャッター（図示せず）が動作している場合、強制開閉補助スイッチ７”の手を離すと途中停止し、
第２のシャッター（図示せず）が開こうとしている場合、強制開閉補助スイッチ７”と閉スイッチ１０”を押せば、第２のシャッター（図示せず）が閉じるように動作することとなる。
【００３２】
図１５に示すｌ１は電源４”からの電力を供給する第１の本体外側電力線で、第１の本体外側制御信号線ｌ１は、第１の搬送用古紙容器本体１の外に設けられている。
また、図１７に示すｌ１”は電源４”からの電力を供給する第２の本体外側電力線で、第２の本体外側制御信号線ｌ１”は、第２の搬送用古紙容器本体１”の外に設けられている。
また、図１５に示すｌ２は制御部ＣＰ”(第１の制御部)からの制御信号を伝達する第１の本体外側制御信号線で、第１の本体外側制御信号線ｌ２は搬送用古紙容器本体１の外に設けられている。
また、図１７に示すｌ２”は制御部ＣＰ”(第２の制御部)からの制御信号を伝達する第２の本体外側制御信号線で、第２の本体外側制御信号線ｌ２”は第２の搬送用古紙容器本体１”の外に設けられている。
そして、図１２乃至図１７に示すように、第１の本体外側電力線ｌ１を第１の本体内側電力線Ｌ１に、第１の本体外側制御信号線ｌ２を第１の本体内側制御信号線Ｌ２に、第１のコネクターＣＮを介して着脱自在に接続され、また、第２の本体外側電力線ｌ１”を第２の本体内側電力線Ｌ１”に、第２の本体外側制御信号線ｌ２”を第２の本体内側制御信号線Ｌ２”に、第２のコネクターＣＮ”を介して着脱自在に接続されている。
なお、第１の本体内側電力線Ｌ１、第１の本体内側電力線Ｌ２はキャプタイヤケーブルＬ内（図１４参照）に、第１の本体外側電力線ｌ１、第１の本体外電力線ｌ２はキャプタイヤケーブルｌ内（図１５参照）に、第２の本体内側電力線Ｌ１”、第２の本体内側電力線Ｌ２”はキャプタイヤケーブルＬ”内（図１６参照）に、第２の本体外側電力線ｌ１”、第２の本体外電力線ｌ２”はキャプタイヤケーブルｌ”内（図１７参照）に、それぞれ設けられている。
なお、望ましくは、本実施例のように、第１の搬送用古紙容器本体１の電源と第２の搬送用古紙容器本体１”の第２の電源を共用して単一の電源（単一の電源は、ソーラパネル５で発生した電力を蓄電するバッテリー４”である。）とし、このバッテリー４”、制御部（第１の制御部及び第２の制御部）ＣＰ”を屋外に設置されたケーシング１０”内に収納するようにするのが良い。
このように、第１の電源と第２の電源を単一の電源としたバッテリー４”とし、該バッテリー４"、制御部（第１の制御部及び第２の制御部）ＣＰ"を屋外に設置されたケーシング１０"内に収納するため、つまり、ケーシング１０"を単一としたため、ケーシング１０"の設置スペースを大きくとらないで、屋外用古紙回収装置Ｃを屋外に設置することができ、また、制御部（第１の制御部及び第２の制御部）ＣＰ"等の点検も、単一のケーシング１０"内で済むため、点検の作業性が改善され、加えて、ソーラーパネル５を利用した独立電源により構成されるため、商用電源を必要とせず屋外用古紙回収装置Ｃを屋外に簡易且つ迅速に設置することができる。
【符号の説明】
【００３３】
Ｃ      屋外用古紙回収装置             
Ｍ      電動モーター
Ｌ１    本体内側電力線
Ｌ２    本体内側制御信号線
ｌ１    本体外側電力線
ｌ２    本体外側制御信号線
ＣＰ    制御部
ＣＮ    コネクター
１      搬送用古紙容器本体
２      古紙投入口部
３      シャッター
４      電源
【図１】
2012206845.tif 000003
【図２】
2012206845.tif 000004
【図３】
2012206845.tif 000005
【図４】
2012206845.tif 000006
【図５】
2012206845.tif 000007
【図６】
2012206845.tif 000008
【図７】
2012206845.tif 000009
【図８】
2012206845.tif 000010
【図９】
2012206845.tif 000011
【図１０】
2012206845.tif 000012
【図１１】
2012206845.tif 000013
【図１２】
2012206845.tif 000014
【図１３】
2012206845.tif 000015
【図１４】
2012206845.tif 000016
【図１５】
2012206845.tif 000017
【図１６】
2012206845.tif 000018
【図１７】
2012206845.tif 000019